(57)【要約】【課題】ファイルの頁ごとの編集・設定が可能な画像形成装置を提供する。【解決手段】コントローラ１００、印刷部１０４、読み取り部１０５、操作パネル１０６を備えた画像形成装置において、操作パネル１０６上でファイル編集機能が選択されると、読み込んだファイルの各頁ごとの編集、設定を行うファイル編集部１０１を備えた。【選択図】　　　　図１
2004056390.tif 000002
【特許請求の範囲】
【請求項１】
コントローラ、印刷部、読み取り部、操作パネルを備えた画像形成装置において、操作パネル上でファイル編集機能が選択されると、読み込んだファイルの各頁ごとの編集、設定を行うファイル編集部を備えたことを特徴とする画像形成装置。
【請求項２】
請求項１に記載の画像形成装置において、ファイル編集部は、原稿頁内の文字のかたまり・図・画像を含むオブジェクトを認識する機能を有することを特徴とする画像形成装置。
【請求項３】
請求項２に記載の画像形成装置において、ファイル編集部は、原稿頁内のオブジェクトの変倍を行い、印刷部は、その変倍したオブジェクトを別紙に出力することを特徴とする画像形成装置。
【請求項４】
請求項３に記載の画像形成装置において、操作パネルは、変倍指定をした場合に、オブジェクトが用紙サイズに対してどの程度のサイズになるかを示すサンプル図を表示することを特徴とする画像形成装置。
【請求項５】
請求項２に記載の画像形成装置において、操作パネルから、原稿頁内のオブジェクトのカラー・モノクロ指定が行われることを特徴とする画像形成装置。
【発明の詳細な説明】
【０００１】
【発明の属する技術分野】
本発明は、ファイル編集機能を有する画像形成装置に関し、特にユーザーインターフェイスに関するものである。
【０００２】
【従来の技術】
従来のハードディスク内蔵型の画像形成装置では、画像読み取り部で原稿をスキャニングし、連続してスキャニングした原稿の固まりを１ファイルと認識してファイルを作成し、ハードディスクに保存することができる。そしてこの作成されたファイルごとに印刷設定を行って出力することができる。
【０００３】
【発明が解決しようとする課題】
しかしながら、従来技術ではハードディスクに保存されているファイル内の各頁について設定を行うことができない。これによってユーザー側で以下のような問題が発生する。
【０００４】
▲１▼原稿の頁内の一部を変倍コピーしたい場合に、変倍コピーしたい部分を切り取り別にコピーしなければならない。
▲２▼原稿の頁内にカラーにしたいオブジェクト（写真・図など）がある場合に、カラーにしたいオブジェクトを別にカラーコピーして所定の位置に入れ戻さなくてはならない。
【０００５】
本発明は上記の問題を解決し、ファイルの頁ごとの編集・設定が可能な画像形成装置を提供することを目的とする。
【０００６】
【課題を解決するための手段】
上記目的を達成するために、請求項１記載の発明は、コントローラ、印刷部、読み取り部、操作パネルを備えた画像形成装置において、操作パネル上でファイル編集機能が選択されると、読み込んだファイルの各頁ごとの編集、設定を行うファイル編集部を備えた画像形成装置を最も主要な特徴とする。
【０００７】
請求項２記載の発明は、請求項１に記載の画像形成装置において、ファイル編集部は、原稿頁内の文字のかたまり・図・画像を含むオブジェクトを認識する機能を有する画像形成装置を主要な特徴とする。
【０００８】
請求項３記載の発明は、請求項２に記載の画像形成装置において、ファイル編集部は、原稿頁内のオブジェクトの変倍を行い、印刷部は、その変倍したオブジェクトを別紙に出力する画像形成装置を主要な特徴とする。
【０００９】
請求項４記載の発明は、請求項３に記載の画像形成装置において、操作パネルは、変倍指定をした場合に、オブジェクトが用紙サイズに対してどの程度のサイズになるかを示すサンプル図を表示する画像形成装置を主要な特徴とする。
【００１０】
請求項５記載の発明は、請求項２に記載の画像形成装置において、操作パネルから、原稿頁内のオブジェクトのカラー・モノクロ指定が行われる画像形成装置を主要な特徴とする。
【００１１】
【発明の実施の形態】
以下、図面により本発明の実施の形態を詳細に説明する。図１は本発明の実施の形態に係る画像形成装置の機能ブロック図である。コピーコントローラ１００は、ＨＤＤ内蔵型の画像形成装置本体に接続されている。ファイル編集部１０１は、ＨＤＤ１０３に蓄積されている原稿ファイル選択し読み込み、原稿ファイル内の頁データに対して設定を行う。操作パネル制御部１０２では、ファイル編集部１０１で設定を行う時のサンプルを表示するよう操作パネル１０６を制御する。ＨＤＤ１０３は、読み取り部１０５でスキャニングした原稿をファイルで保存する。
【００１２】
コピーコントローラ１００には、印刷部１０４、読み取り部１０５、操作パネル１０６が接続されている。印刷部１０４はＨＤＤ１０３に保存してあるファイルを印刷する。読み取り部１０５は原稿をスキャニングする。操作パネル１０６はユーザーにより各種の設定を行い、また上述した表示を行う。
【００１３】
次に動作の概要を説明する。読み取り部１０５において、原稿をスキャニングし、そのデータ（原稿一枚以上）をファイルにしてＨＤＤ１０３に保存する。何らかの方法でファイル編集機能を操作パネル１０６から選択した場合、ファイル編集部１０１でＨＤＤ１０３内のファイルを読み込み、ファイルの各頁ごとの編集・設定を行う。
【００１４】
その設定内容には、オブジェクトの変倍とカラー指定がある。オブジェクトの変倍に関しては、変倍後のサンプルを操作パネル１０６で表示する。一方、ファイル編集機能を選択しなかった場合、ファイルごとの印刷設定を行い、印刷部１０４において印刷を実行する。
【００１５】
次に図２を用いてハードディスク内蔵型の画像形成装置におけるファイル編集機能について詳細を説明する。
Ｓ１：何らかの方法でファイル編集機能が選択された場合、Ｓ２の処理を行う。選択されなかった場合、処理を終了する。
Ｓ２：コピーコントローラ１００のＨＤＤ　１０３に蓄積されたファイルがある場合、Ｓ３の処理を行う。ファイルがない場合、処理を終了する。
Ｓ３：ＨＤＤ　１０３に蓄積されているファイルが指定された場合、Ｓ４の処理を行う。ファイルが指定されなかった場合は、処理を終了する。
Ｓ４：ＨＤＤ　１０３に蓄積されているファイルをオープンする。
Ｓ５：ユーザーによって指定された頁情報を取得する。
Ｓ６：選択された頁の原稿画像を文字・図・画像を基準にしてオブジェクトに分離する。
Ｓ７：分離したオブジェクトが何らかの方法で選択された場合、Ｓ８の処理を行う。選択されなかった場合、Ｓ９の処理を行う。
Ｓ８：オブジェクトに対して変倍が指定された場合は、Ｓ９の処理を行う。
変倍が指定されなかった場合は、Ｓ１０の処理を行う。
Ｓ９：変倍処理を行う。図３を用いて別途説明。
Ｓ１０：オブジェクトに対してカラーが指定された場合、Ｓ１１の処理を行う。カラーが指定されなかった場合、Ｓ１２の処理を行う。
Ｓ１１：カラー処理を行う。
Ｓ１２：ファイルの別頁が選択された場合、Ｓ５の処理を行う。
選択されなかった場合、終了する。
【００１６】
次に図３を用いて変倍処理について説明する。
Ｓ２１：ユーザーによって指定された倍率情報を取得する。
Ｓ２２：操作パネルに変倍後のオブジェクトのサンプルを表示する。
Ｓ２３：決定が指示された場合、Ｓ２４の処理を行う。
変更が指示された場合、再びＳ２１の処理を行う。
Ｓ２４：オブジェクトの縮小が指定された場合、Ｓ２７の処理を行う。
逆に拡大が指定された場合、Ｓ２５の処理を行う。
Ｓ２５：拡大したオブジェクトを描画するための新規頁を挿入する。
Ｓ２６：新規頁に拡大したオブジェクトを描画する。
Ｓ２７：縮小したオブジェクトを元の位置に描画する。
【００１７】
本発明の画像形成装置におけるファイル編集機能では、以下の効果がある。
１．ファイルの頁ごとの編集・設定が可能である。
２．頁内の各オブジェクト（文字・図・画像）を認識することができる。
３．認識したオブジェクトを変倍することができる。
（１）変倍したオブジェクトを別紙に出力することができる。
（２）変倍を指定する時に、変倍後のオブジェクトが用紙に対してどのくらいの大きさかを表示するサンプル画像を操作パネルに表示する。
４．オブジェクトごとにカラー・モノクロ指定することができる。
【００１８】
【発明の効果】
以上説明したように、請求項１によれば、ファイルの頁ごとに編集、設定ができることによって、よりユーザーのニーズに応えることができる。
【００１９】
請求項２によれば、原稿頁内のオブジェクトを認識することができることによって、各オブジェクトに対して設定を行うことができ、ユーザーにとって原稿を編集しやすくなるという効果がある。
【００２０】
請求項３によれば、原稿頁内のオブジェクトごとに変倍を行えることによって、変倍したいオブジェクト原稿から切り出して別にコピーするなどの手間がなくなり、ユーザーの煩雑さを取り除き、作業時間を大幅に短縮することができる。
【００２１】
請求項４によれば、変倍後のオブジェクトのサイズをサンプルで確認しながら変倍を行うことによって、試しにコピーする必要がなくなり、紙の無駄を防ぐと共に作業効率を上げることができる。
【００２２】
請求項５によれば、頁及び頁内オブジェクトのカラー指定ができることによって、カラーコピーしたい原稿とモノクロコピーしたい原稿を分けてコピーし再び元の頁に戻す手間がなくなり、ユーザーの煩雑さを取り除き、作業時間を大幅に短縮することができる。
【図面の簡単な説明】
【図１】本発明の実施の形態に係る画像形成装置の機能ブロック図である。
【図２】ファイル編集機能のフローチャートである。
【図３】変倍処理のフローチャートである。
【符号の説明】
１００　コピーコントローラ
１０１　ファイル編集部
１０４　印刷部
１０５　読み取り部
１０６　操作パネル
【図１】
2004056390.tif 000003
【図２】
2004056390.tif 000004
【図３】
2004056390.tif 000005